【手続補正書】
【提出日】平成21年1月7日(2009.1.7)
【手続補正１】
【補正対象書類名】明細書
【補正対象項目名】００１８
【補正方法】変更
【補正の内容】
【００１８】
図１（ｃ）は、眼鏡型ディスプレイカメラとした撮像装置１を示している。撮像装置１は、例えば両側頭部から後頭部にかけて半周回するようなフレームの構造の装着ユニットを持ち、図のように両耳殻にかけられることでユーザに装着される。
この撮像装置１は、ユーザが装着した状態において、ユーザの視界方向を被写体方向として撮像するように、前方に向けて撮像レンズ３Ｌが配置されている。
また、図示のような装着状態において、ユーザの両眼の直前、即ち通常の眼鏡におけるレンズが位置する場所に、左眼用と右眼用の一対の表示部５、５が配置される構成とされている。この表示部５には、例えば液晶パネルが用いられ、透過率を制御することで、図のようなスルー状態、即ち透明又は半透明の状態とできる。表示部５がスルー状態とされることで、眼鏡のようにユーザが常時装着していても、通常の生活には支障がない。
なお、表示部５は、両眼に対応して一対設けられる他、片側の眼に対応して１つ設けられる構成も考えられる。また表示部５が設けられない構成も考えられる。
【手続補正２】
【補正対象書類名】明細書
【補正対象項目名】００３８
【補正方法】変更
【補正の内容】
【００３８】
ステップＦ１０４においてシステムコントローラ２は、ステップＦ１０２でカウントをスタートさせたタイマＴｍのカウント値とステップＦ１０３で取得した撮像装置１の速度Ｖから、移動距離を算出する。即ち（速度Ｖ）×（時間Ｔｍ）により、このステップＦ１０２〜Ｆ１０４の処理期間での移動距離が求められる。これに、それまでの移動距離Ｌｎを加算して、新たな移動距離Ｌｎとする。
最初の処理時点では、Ｌｎ＝０であるため、Ｌｎ＝（速度Ｖ）×（時間Ｔｍ）＋０となる。その後、ステップＦ１０５を介してステップＦ１０２，Ｆ１０３，Ｆ１０４の処理が繰り返されるが、ステップＦ１０４の処理時点で、そのＦ１０２〜Ｆ１０４の間の移動距離が（速度Ｖ）×（時間Ｔｍ）で求められるため、これにそれまでの移動距離Ｌｎを加算して新たな移動距離Ｌｎを求めることで、移動距離Ｌｎは、ステップＦ１０１の処理が開始された後の累計の移動距離となる。
【手続補正３】
【補正対象書類名】明細書
【補正対象項目名】００４４
【補正方法】変更
【補正の内容】
【００４４】
例えば、撮像画像１を備えた自動車が高速道路などにおいて速い速度で移動している場合、非常に短時間で距離Ｌｘ以上に移動してしまうことが考えられる。その場合、非常に頻繁に撮像が行われ、ストレージ部８には短時間のうちに大量の撮像画像データが記録されることになる。
自動車の走行やユーザの日常を記録するためのドライブログカメラ、ライフログカメラとしては、あまりに頻繁に撮像画像データをストレージ部８に記録させることになると、ストレージ部８の残容量が不足する可能性も考えられる。特に高速移動で通過した各場所は、ユーザにとって、あまり画像としての価値も大きくないと考えることもできる。
【手続補正４】
【補正対象書類名】明細書
【補正対象項目名】００４８
【補正方法】変更
【補正の内容】
【００４８】
ステップＦ２０７でシステムコントローラ２は、タイマＴｍ２のカウント値を、予め設定してある最短待機時間Ｔｍｉｎと比較する。つまり、前回の撮像時点から、最短待機時間を経過したか否かを判断する。
この最短待機時間Ｔｍｉｎとは、撮像装置１が前回撮像動作を行ってから距離Ｌｘ以上の距離を移動したとしても、撮像動作を行うのに最低限空けるべき時間である。
システムコントローラ２は、タイマＴｍ２のカウント値が最短待機時間Ｔｍｉｎに達していなければ、最短待機時間Ｔｍｉｎに達するまで、このステップＦ２０７で待機する。
そして、ある時点でタイマＴｍ２のカウント値が最短待機時間Ｔｍｉｎ以上となったら、システムコントローラ２は処理をステップＦ２０８へ進める。
ステップＦ２０８においてシステムコントローラ２は、撮像動作を行わせる指示を出す。即ち、撮像部３へ被写体を撮像させる指示を行い、撮像制御部４にその撮像された１フレームの撮像画像データを抽出させ、所定の処理を行ってストレージ部８に転送させる。ストレージ部８では、転送されてきた１フレームの撮像画像データを静止画として記録媒体に記録する処理を行う。
この後、システムコントローラ２は再びステップＦ２０１から、この図５の処理を繰り返す。
【手続補正５】
【補正対象書類名】明細書
【補正対象項目名】００５０
【補正方法】変更
【補正の内容】
【００５０】
［５．自動撮像処理動作例III］
上述してきた図４、図５の自動撮像処理動作例I、II では、撮像装置１が移動している際、前回撮像動作を行ってから距離Ｌｘ以上が経過したことに応じて撮像動作を行うことで被写体に変化のある撮像画像データを取得している。
さらに、図５の自動撮像処理動作例IIでは、撮像装置１の移動速度が速く、短時間で距離Ｌｘ以上移動してしまう場合に、大量の撮像画像データがストレージ部８へ記録されることを防止するため、前回撮像動作を行ってから最短待機時間Ｔｍｉｎ以上が経過した時点で撮像動作を行っている。
このように自動撮像処理動作例IIでは、被写体に変化のある撮像画像データを保存することができ、且つ、撮像装置１の速度が速い場合に対応して、最短待機時間Ｔｍｉｎを設けることによりストレージ部８に記録する撮像画像データの量を抑えてきた。
【手続補正６】
【補正対象書類名】明細書
【補正対象項目名】００５５
【補正方法】変更
【補正の内容】
【００５５】
その後システムコントローラ２はステップＦ３０２からステップＦ３０５までの処理動作は、先の図５で説明したステップＦ２０２からステップＦ２０５までの処理動作と同様の処理動作を行う。
即ち、まず、システムコントローラ２は、内部タイマのタイマＴｍ２を初期値０にリセットした後、カウントをスタートさせる。そして、撮像装置１の移動距離Ｌｎを初期値０にリセットして、内部タイマのタイマＴｍ１を初期値０にリセットした後、カウントをスタートさせる。さらに、速度検出部１０より供給される速度Ｖを撮像装置１の速度Ｖとして取得し、この速度Ｖの値とタイマＴｍ１の値を乗算して、その乗算した結果の値に移動距離Ｌｎの値を加算する処理を行う。このようにして撮像装置１の移動距離Ｌｎを算出していく。
【手続補正７】
【補正対象書類名】明細書
【補正対象項目名】００５６
【補正方法】変更
【補正の内容】
【００５６】
そして、ステップＦ３０６においてシステムコントローラ２は、撮像装置１の移動距離Ｌｎが距離Ｌｘに達したか否かの判断処理を行う。
このステップＦ３０６において移動距離Ｌｎが距離Ｌｘに達したとの判断結果が得られた場合は、処理をステップＦ３０８へ進める。
ステップＦ３０８においてシステムコントローラ２は、上記図４のステップＦ２０８の処理と同様に、撮像動作を行わせる指示を出す。即ち、撮像部３に被写体を撮像させる指示を出し、撮像制御部４にその撮像させた１フレームの撮像画像データを抽出させ、所定の処理を行ってストレージ部８に転送させ、転送されてきた１フレームの撮像画像データを静止画としてストレージ部８の記録媒体に記録する処理を行う。
そして、ステップＦ３０１から図６の処理を繰り返す。
【手続補正８】
【補正対象書類名】明細書
【補正対象項目名】００６２
【補正方法】変更
【補正の内容】
【００６２】
先ず図７において、ステップＦ４０１からステップＦ４０６の処理動作をシステムコントローラ２は、先に説明した図５のステップＦ２０１からステップＦ２０６の処理動作と同様の処理動作を行う。
そして、ステップＦ４０６においてシステムコントローラ２は、移動距離Ｌｎが距離Ｌｘ以上の大きさであるとの判断結果が得られた場合、処理をステップＦ４０８へ進める。このステップＦ４０８は、図５で説明したステップＦ２０７と同様に最短待機時間ＴｍｉｎよりタイマＴｍ２のカウント値が大きいか否かの判断処理を行う。
即ち、システムコントローラ２は、撮像装置１が前回撮像動作を行ってから距離Ｌｘ以上の距離を移動した後、撮像動作を行うのに最低限空けるべき時間である最短待機時間Ｔｍｉｎが経過したか否かの判断処理を行う。そして、最短待機時間Ｔｍｉｎが経過していないとの判断結果が得られた場合は、タイマＴｍ２のカウント値が最短待機時間Ｔｍｉｎ以上になるまでステップＦ４０８で待機するものである。
そして、システムコントローラ２は、最短待機時間Ｔｍｉｎを経過しているとの判断結果が得られた場合に、処理をステップＦ４０９へ進める。
【手続補正９】
【補正対象書類名】明細書
【補正対象項目名】００６４
【補正方法】変更
【補正の内容】
【００６４】
ステップＦ４０９においてシステムコントローラ２は、上記図５のステップＦ２０８の処理と同様の処理を行い、撮像させた１フレームの撮像画像データを所定の処理を行った後、１フレームの撮像画像データの静止画としてストレージ部８の記録媒体に記録させる制御処理を行う。
【手続補正１０】
【補正対象書類名】明細書
【補正対象項目名】００６６
【補正方法】変更
【補正の内容】
【００６６】
［７．自動撮像処理動作例V］
上述してきた図４、図５、図６、図７の自動撮像処理動作例I、II、III、IVは、撮像装置１が前回撮像動作を行ってから距離Ｌｘ以上移動したことに応じて撮像動作を行うことで撮像画像データをストレージ部８へ記録してきた。
しかし、撮像装置１が距離Ｌｘ以上移動したことに応じて撮像動作を行うと、その間撮像させた撮像画像データの量はかなりの量となると思われる。また、撮像装置１の移動速度が速く、短時間で距離Ｌｘ以上移動してしまう場合には、撮像動作が短時間で頻繁に行われることになり、さらにストレージ部８へ記録される撮像画像データの量は増えるものと思われる。
【手続補正１１】
【補正対象書類名】明細書
【補正対象項目名】００６７
【補正方法】変更
【補正の内容】
【００６７】
ストレージ部８の記録容量は有限であるので、ストレージ部８へ記録される撮像画像データの量を抑えることは、撮像装置１においては好適なことである。
このデータ量を抑える手法としては、例えば、撮像動作が行われる時間間隔に閾値を設け、撮像動作が行われる間隔が短ければ撮像画像データの画像サイズを小さく、撮像動作が行われる間隔が長ければ撮像画像データの画像サイズを大きくして、ストレージ部８へ記録されるようにすればよい。
以下、このような自動撮像処理動作について説明していく。
【手続補正１２】
【補正対象書類名】明細書
【補正対象項目名】００７２
【補正方法】変更
【補正の内容】
【００７２】
また、ステップＦ５０９において、タイマＴｍ２のカウント値が閾値Ｔｈ２より大きいとの判断結果が得られた場合、処理をステップＦ５１１へ進める。このステップＦ５１１でシステムコントローラ２は、タイマＴｍ２のカウント値が閾値Ｔｈ３以下であるか否かの判断処理を行う。
そして、システムコントローラ２は、このステップＦ５１１においてタイマＴｍ２のカウント値が閾値Ｔｈ３以下であるとの判断結果が得られた場合、処理をステップＦ５１２へ進め、撮像画像データのサイズとして画像サイズｓｚ３の設定を撮像制御部４に指示する。この画像サイズｓｚ３は、上記画像サイズｓｚ２の次に大きい画像サイズである。そしてステップＦ５１４へ処理を進める。
【手続補正１３】
【補正対象書類名】明細書
【補正対象項目名】００７３
【補正方法】変更
【補正の内容】
【００７３】
さらにステップＦ５１１において、タイマＴｍ２のカウント値が閾値Ｔｈ３より大きいとの判断結果が得られた場合、システムコントローラ２は処理をステップＦ５１３へ進め、撮像画像データのサイズとして画像サイズｓｚ４の設定を撮像制御部４に指示する。この画像サイズｓｚ４は、最も大きい画像サイズである。そしてステップＦ５１４へ処理を進める。
【手続補正１４】
【補正対象書類名】明細書
【補正対象項目名】００７７
【補正方法】変更
【補正の内容】
【００７７】
［８．自動撮像処理動作例VI］
上述した図１０の自動撮像処理動作例Vは、前回撮像動作を行わせてからの時間間隔に応じて画像サイズを変更し、ストレージ部８へ記録される撮像画像データの量を節約していた。しかし、画像サイズではなく、時間間隔に応じて撮像画像データの圧縮率を変えることで、ストレージ部８へ記録される撮像画像データの量を節約する手法も考えられる。
ここでは、このように圧縮率を変更する自動撮像処理動作について説明していく。
【手続補正１５】
【補正対象書類名】明細書
【補正対象項目名】００８３
【補正方法】変更
【補正の内容】
【００８３】
また、ステップＦ６０９において、タイマＴｍ２のカウント値が閾値Ｔｈ２より大きいとの判断結果が得られた場合、処理をステップＦ６１１へ進める。このステップＦ６１１でシステムコントローラ２は、タイマＴｍ２のカウント値が閾値Ｔｈ３以下であるか否かの判断処理を行う。
そして、システムコントローラ２は、このステップＦ６１１においてタイマＴｍ２のカウント値が閾値Ｔｈ３以下であるとの判断結果が得られた場合、処理をステップＦ６１２へ進め、圧縮率ｑｔ３を撮像制御部４に指示する。この圧縮率ｑｔ３は、上記圧縮率ｑｔ２の次に低い圧縮率である。そしてステップＦ６１４へ処理を進める。
【手続補正１６】
【補正対象書類名】明細書
【補正対象項目名】００８４
【補正方法】変更
【補正の内容】
【００８４】
さらにステップＦ６１１において、タイマＴｍ２のカウント値が閾値Ｔｈ３より大きいとの判断結果が得られた場合、システムコントローラ２は処理をステップＦ６１３へ進め、圧縮率ｑｔ４を撮像制御部４に指示する。この圧縮率ｑｔ４は、最も低い圧縮率である。そしてステップＦ６１４へ処理を進める
【手続補正１７】
【補正対象書類名】明細書
【補正対象項目名】００９１
【補正方法】変更
【補正の内容】
【００９１】
またシステムコントローラ２は、ステップＦ７０７でタイマＴｍ２のカウント値が期間Ｔｘより大きいとの判断結果が得られた場合、処理をステップＦ７０８へ進める。
ステップＦ７０８においてシステムコントローラ２は、静止画で撮像動作を行う指示を出す。即ち、撮像部３に被写体を撮像させる指示を出し、撮像制御部４にその撮像させた１フレームの撮像画像データを抽出させてＪＰＥＧ方式で圧縮処理を行ってストレージ部８に転送させる。そして、ストレージ部８には、転送されてきた１フレームの撮像画像データを静止画として記録媒体に記録させる。
ステップＦ７０８又はＦ７０９の処理の後、システムコントローラ２はステップＦ７０１に戻って同様に処理を行う。
【手続補正１８】
【補正対象書類名】明細書
【補正対象項目名】００９５
【補正方法】変更
【補正の内容】
【００９５】
また、ストレージ部８へ記録される撮像画像データの量を抑えて、ストレージ部８の記録容量を節約する手法としては、図１０、図１３で説明した自動撮像処理動作例Ｖ、VI
の処理例を合成する手法も考えられる。例えば、上記図１０のステップＦ５０８の処理において撮像画像データの画像サイズを画像サイズｓｚ１とすると共に圧縮率を圧縮率ｑｔ１とする処理動作が考えられる。さらに、上記図１０のステップＦ５１０では撮像画像データを画像サイズｓｚ２とすると共に圧縮率ｑｔ２とする処理動作が、ステップＦ５１２では撮像画像データを画像サイズｓｚ３とすると共に圧縮率ｑｔ３とする処理動作が、ステップＦ５１３では撮像画像データを画像サイズｓｚ４とすると共に圧縮率ｑｔ４とする処理動作が考えられる。